(57)【要約】      （修正有）【課題】使用環境下の温度に応じた凸レンズの膨張又は収縮に伴って生じる表示画像の伸縮を抑制する。【解決手段】表示装置１０は、表示部４０と、表示部の表示面を覆うレンズとを備えており、レンズの形状の変化に伴って、レンズ上の測定位置が、形状が変化する前の基準位置から変位したずれ量を取得する取得部５０を備えており、映像データ補間部５１は、ずれ量に基づいて、補間後映像データを作成する。【選択図】図３
2015228536.tif 000002
【特許請求の範囲】
【請求項１】
表示部と、上記表示部の表示面を覆うレンズとを備えており、
上記表示部は、マトリクス状に配置された画素を備えており、
上記レンズは、その表面が凸状の曲面である曲面範囲を有しており、
上記各画素に対応する映像データに基づいて画像を表示する表示装置であって、
映像データである元映像データが入力され、互いに隣接する画素の各元映像データの階調の間の階調を有する映像データである補間映像データを作成し、上記元映像データを対応する画素の順に並べるとともに、上記補間映像データを、対応する画素の元映像データの間にその階調が連続するように並べた場合において、上記元映像データと上記補間映像データとを合わせた映像データの中から選択される、上記画素の数だけの映像データである補間後映像データを作成する映像データ補間部と、
上記レンズの形状の変化に伴って、上記レンズ上の測定位置が、形状が変化する前の基準位置から変位したずれ量を取得する取得部を備えており、
上記映像データ補間部は、上記ずれ量に基づいて、上記補間後映像データを作成することを特徴とする表示装置。
【請求項２】
上記映像データ補間部は、上記元映像データと上記補間映像データとを合わせた上記映像データから、上記ずれ量に応じて決定された当該映像データの並びにおける位置の上記映像データを、上記補間後映像データとして選択するデータ選択部を備えていることを特徴とする請求項１に記載の表示装置。
【請求項３】
上記映像データ補間部は、上記ずれ量に応じて決定された階調の上記補間映像データを、互いに隣接する各画素の間に対応させて作成する補間映像データ作成部を備えていることを特徴とする請求項１または２に記載の表示装置。
【請求項４】
上記映像データ補間部は、上記ずれ量に応じて決定された個数の上記補間映像データを、互いに隣接する各画素の間に対応させて作成する補間映像データ作成部を備えていることを特徴とする請求項１〜３の何れか１項に記載の表示装置。
【請求項５】
観察者が操作可能な手動調整部を備えており、
上記映像データ補間部は、上記手動調整部に対する観察者の操作に従って、上記補間後映像データを作成することを特徴とする請求項１〜４の何れか１項に記載の表示装置。
【請求項６】
表示部と、上記表示部の表示面を覆うレンズとを備えており、
上記表示部は、マトリクス状に配置された画素を備えており、
上記レンズは、その表面が凸状の曲面である曲面範囲を有しており、
上記各画素に対応する映像データに基づいて画像を表示する表示装置の表示方法であって、
上記各画素に本来対応する映像データを元映像データとすると、
互いに隣接する画素の各元映像データの階調の間の階調を有する映像データである補間映像データを作成し、上記元映像データを対応する画素の順に並べるとともに、上記補間映像データを、対応する画素の元映像データの間にその階調が連続するように並べた場合において、上記元映像データと上記補間映像データとを合わせた映像データの中から選択される、上記画素の数だけの映像データである補間後映像データを作成するステップと、
上記レンズの形状の変化に伴って、上記レンズ上の測定位置の、形状が変化する前の基準位置から変位したずれ量を取得するステップとを含み、
上記補間後映像データを作成するステップでは、上記ずれ量に基づいて、上記補間後映像データを作成することを特徴とする表示装置の表示方法。
【発明の詳細な説明】
【技術分野】
【０００１】
本発明は表示装置、特には、表示面にレンズを備える表示装置、及びその表示装置における表示方法に関する。
【背景技術】
【０００２】
従来から、液晶表示パネルにおける額縁部分を見えにくくするとともに表示面積を拡大したり、複数の液晶表示パネルを配列するタイリング技術においてそのつなぎ目を見えにくくしたり（シームレスディスプレイ）するために、凸レンズを備えた表示装置が提案されている。
【０００３】
特許文献１には、画面の目地を目立たなくしたマルチ投影型スクリーンが記載されている。図２３は、特許文献１に記載される投影型マルチスクリーンを用いた表示の原理を説明するための図である。
【０００４】
図２３に示すように、投影型ディスプレイの目地の部分にレンズ状スクリーンを載せることで、レンズからの出射光２０８のうち、目地近辺のものは、図のように左側へ向かって出射されるスクリーンからの出射光２０９がレンズ状スクリーン２０７により屈折されて平行光として出射される。これに対し、右側の部分からの出射光はレンズ状スクリーン２０７がその部分では平面なので何も影響されずスクリーン２０２からまっすぐに出射される。このように筐体２０１による目地から見かけ上出射する光が発生する。
【０００５】
出射光２０８は画面を見ている人が受ける光であるため、この観視者にとって目地の見え方は、実際の目地の幅２１０がレンズ状スクリーン２０７の効果により見かけ状の幅２１１になっており、目地が狭くなったように見える。このようにして、投影型ディスプレイの目地の部分を目立たなくしている。
【０００６】
また、特許文献２には、ディスプレイの表示面に凸レンズを設けた場合の、画素の伸張表示を抑制した表示装置、さらには、観察者の視野角度に起因する伸張表示の発生を抑制した表示装置が記載されている。
【先行技術文献】
【特許文献】
【０００７】
【特許文献１】特開２０００−１８０９６４号公報（２０００年６月３０日公開）
【特許文献２】国際公開公報２０１１／０６７９９６  Ａ１（２０１１年６月９日公開）
【発明の概要】
【発明が解決しようとする課題】
【０００８】
しかしながら、上記の従来の表示装置のように凸レンズを用いた場合、表示装置の使用環境によって凸レンズの形状が変化する。具体的には、使用環境下の温度に応じて、凸レンズは膨張又は収縮を起こす。さらには、凸レンズの曲面形状が変化する。
【０００９】
特許文献１のマルチ投影型スクリーンおよび特許文献２の表示装置では、凸レンズの形状変化を想定しておらず、凸レンズの形状が変化した場合、効果的に目地の部分を目立たなくしたり、伸張表示を抑制したりすることができない。
【００１０】
本発明は、上記の課題に鑑みなされたものであって、その目的は、表示面にレンズを備える表示装置において、レンズの形状変化に伴って生じる表示画像の伸縮を抑制することができる表示装置、及び表示方法を提供することにある。
【課題を解決するための手段】
【００１１】
上記の課題を解決するために、本発明の一態様に係る表示装置は、表示部と、上記表示部の表示面を覆うレンズとを備えており、上記表示部は、マトリクス状に配置された画素を備えており、上記レンズは、その表面が凸状の曲面である曲面範囲を有しており、上記各画素に対応する映像データに基づいて画像を表示する表示装置であって、映像データである元映像データが入力され、互いに隣接する画素の各元映像データの階調の間の階調を有する映像データである補間映像データを作成し、上記元映像データを対応する画素の順に並べるとともに、上記補間映像データを、対応する画素の元映像データの間にその階調が連続するように並べた場合において、上記元映像データと上記補間映像データとを合わせた映像データの中から選択される、上記画素の数だけの映像データである補間後映像データを作成する映像データ補間部と、上記レンズの形状の変化に伴って、上記レンズ上の測定位置が、形状が変化する前の基準位置から変位したずれ量を取得する取得部を備えており、上記映像データ補間部は、上記ずれ量に基づいて、上記補間後映像データを作成する構成である。
【００１２】
また、上記の課題を解決するために、本発明の一態様に係る表示装置の表示方法は、表示部と、上記表示部の表示面を覆うレンズとを備えており、上記表示部は、マトリクス状に配置された画素を備えており、上記レンズは、その表面が凸状の曲面である曲面範囲を有しており、上記各画素に対応する映像データに基づいて画像を表示する表示装置の表示方法であって、上記各画素に本来対応する映像データを元映像データとすると、互いに隣接する画素の各元映像データの階調の間の階調を有する映像データである補間映像データを作成し、上記元映像データを対応する画素の順に並べるとともに、上記補間映像データを、対応する画素の元映像データの間にその階調が連続するように並べた場合において、上記元映像データと上記補間映像データとを合わせた映像データの中から選択される、上記画素の数だけの映像データである補間後映像データを作成するステップと、上記レンズの形状の変化に伴って、上記レンズ上の測定位置の、形状が変化する前の基準位置から変位したずれ量を取得するステップとを含み、上記補間後映像データを作成するステップでは、上記ずれ量に基づいて、上記補間後映像データを作成する方法である。
【発明の効果】
【００１３】
本発明の一態様によれば、表示面にレンズを備える表示装置において、レンズの形状変化に伴って生じる表示画像の伸縮を抑制することができるという効果を奏する。
【図面の簡単な説明】
【００１４】
【図１】本発明の表示装置をその表示面から見た図である。
【図２】図１のＡ−Ａ線断面図である。
【図３】本発明の一実施形態の液晶表示装置の概略構成を示す図である。
【図４】図１のＡ−Ａ線断面図であり、レンズの形状変化の前後におけるレンズの形状を示す図である。
【図５】本発明の一実施形態の液晶表示装置の断面の一例を示す図である。
【図６】本発明の一実施形態におけるレンズによる表示の拡大の様子を示す図である。
【図７】本発明の一実施形態における表示領域の拡張を示す図である。
【図８】本発明の一実施形態における元映像データと補間映像データとを示す図である。
【図９】本発明の一実施形態における補間映像データ作成の概略を示す図である。
【図１０】本発明の一実施形態における補間数の求め方を説明するための図である。
【図１１】本発明の一実施形態における補間映像データを作成する範囲を示す図である。
【図１２】本発明の一実施形態における補間数の求め方を説明するための図である。
【図１３】本発明の一実施形態における補間映像データを作成する範囲を示す図である。
【図１４】本発明の一実施形態における補間映像データを作成する範囲を示す図である。
【図１５】本発明の一実施形態における間引き映像データの選択を説明するための図である。
【図１６】本発明の一実施形態のデータ選択ＬＵＴの一例を示す図である。
【図１７】本発明の一実施形態のデータ選択ＬＵＴの他の例を示す図である。
【図１８】本発明の一実施形態におけるレンズ径とレンズ幅との関係を示す図である。
【図１９】本発明の他の実施形態の液晶表示装置の概略構成を示す図である。
【図２０】本発明の変形例の変形例の液晶表示装置の斜視図である。
【図２１】本発明の実施形態１の変形例の液晶表示装置の概略構成を示す図である。
【図２２】本発明の実施形態２の変形例の液晶表示装置の概略構成を示す図である。
【図２３】従来技術を示すものであり、特許文献１に記載されたマルチ投影型スクリーンを説明するための図である。
【発明を実施するための形態】
【００１５】
以下、本発明の実施の形態について、図面に基づいて詳細に説明する。
【００１６】
〔実施形態１〕
本発明の一実施形態について、図１〜図１８に基づいて説明すれば、以下のとおりである。
【００１７】
（表示装置）
図１は本実施の形態の液晶表示装置をその表示面から見た場合の概略構成を示しており、図２は、図１のＡ−Ａ線断面図である。
【００１８】
図１に示すように、本実施の形態の表示装置としての液晶表示装置１０は、その表示面が、光学部としてのレンズ７０で覆われている。
【００１９】
このレンズ７０には、表面が平面である平面範囲７０ａと、表面が湾曲して凸状となり、凸レンズとして機能する曲面範囲７０ｂとが設けられている。そして、上記曲面範囲７０ｂは、長方形の表示面の４端辺のなかの１辺である１長辺に沿うように配置されている。
【００２０】
断面を示す上記図２に基づいて説明する。上記図２に示すように、上記液晶表示装置１０は、表示部としての液晶表示パネル４０と、その表示面４２に設けられたレンズ７０とを備えている。
【００２１】
この液晶表示パネル４０には、画素（図示せず）がマトリクス状に配置されており、当該画素により互いに直交するラインが形成されている。
【００２２】
そして、レンズ７０の曲面範囲７０ｂは、液晶表示パネル４０の端辺４４の近傍部分に配置されている。
【００２３】
また、上記表示面４２には、映像などが表示される表示領域４６と、いわゆる額縁などの、映像などが表示されない領域である非表示領域４８とがある。そして、上記レンズ７０は、その上記曲面範囲７０ｂが上記表示領域４６及び非表示領域４８のいずれをも覆うように配置されている。
【００２４】
なお、上記図１及び図２では、上記曲面範囲７０ｂが表示面の４端辺の中の１長辺に沿って設けられている構成について説明した。ここで、レンズ７０において上記曲面範囲７０ｂが設けられる位置や個数などは特には限定されない。例えば、上記曲面範囲７０ｂを短辺に沿って設けることもできる。また、上記曲面範囲７０ｂを、１端辺に沿ってのみではなく、２〜４端辺に沿って設けることもできる。
【００２５】
また、上記レンズ７０は、必ずしも平面範囲７０ａを有している必要はない。例えば、レンズ７０に上記平面範囲７０ａを設けずに、レンズ７０の全体を曲面範囲７０ｂとすることもできる。
【００２６】
（全体構成）
つぎに、本実施の形態の液晶表示装置１０の全体構成について、図３に基づいて説明する。図３は、上記液晶表示装置１０の概略構成を示す図である。
【００２７】
本実施の形態の液晶表示装置１０には、上記表示部としての液晶表示パネル４０など以外に各種制御部などが設けられている。
【００２８】
具体的には、上記図３に示すように、上記液晶表示パネル４０の周辺には、ソースドライバ１２とゲートドライバ１４とが設けられている。
【００２９】
また、本実施の形態の液晶表示装置１０は、レンズ形状検知部５０と映像データ補間部５１とを有している。
【００３０】
レンズ形状検知部５０は、レンズ７０の形状を検知し、レンズデータを作成する。レンズデータは、映像データ補間部５１に入力される。レンズ形状検知部５０についての具体的な説明は後述する。
【００３１】
映像データ補間部５１は、補間映像データ作成部２０、映像用ＲＡＭ２４、および制御信号作成回路部１６を備えている。
【００３２】
映像データ補間部５１には、元の映像データ（元映像データ）が入力される。また、映像データ補間部５１は、レンズデータに基づいて補間後映像データを作成し、ソースドライバ１２へ出力する。これにより、液晶表示パネル４０は、上記補間後映像データに応じた映像を表示する。
【００３３】
映像データ補間部５１に元映像データが入力されてから補間後映像データを作成する具体的な手段については後述する。
【００３４】
ここで、上記元映像データ（各画素に本来対応する映像データ）とは、各画素に本来入力される映像データを意味し、具体的には、例えば上記光学部が設けられていない通常の表示装置において、各画素に対応して入力される映像データを意味する。
【００３５】
映像データ補間部５１に設けられた映像用ＲＡＭ２４は、ソースドライバ１２に供給される映像データを記憶する。そして、この映像用ＲＡＭ２４には、補間映像データ作成部２０が接続されている。
【００３６】
この補間映像データ作成部２０では、後に説明する補間映像データが作成される。そして、この映像用ＲＡＭ２４には、元映像データである入力映像データと、上記補間映像データとが記憶される。
【００３７】
そして、一旦記憶された上記映像データ（元映像データと補間映像データ）は、映像用ＲＡＭ２４から出力されて、上記ソースドライバ１２に供給される。
【００３８】
また、映像データ補間部５１に設けられた制御信号作成回路部１６は、上記ソースドライバ１２、ゲートドライバ１４、及び、映像用ＲＡＭ２４を制御する。
【００３９】
この制御信号作成回路部１６には、レンズデータが入力される。制御信号作成回路部１６は、上記レンズデータに基づいて、上記映像用ＲＡＭ２４に記憶された上記映像データから、上記ソースドライバ１２に供給される映像データを選択（間引き映像データの選出）するデータ選択部としても機能する。
【００４０】
そして、上記制御信号作成回路部１６には、それを制御するための信号である入力制御信号が入力されている。
【００４１】
さらには、上記液晶表示装置１０には、上記制御等を行うための表示制御プログラムが格納されたメモリ３２と、上記メモリ３２に接続された中央制御部３０とが設けられている。
【００４２】
そして、上記中央制御部３０は、上記入力制御信号を介して上記制御信号作成回路部１６を制御するとともに、上記補間映像データ作成部２０を制御する。
【００４３】
（表示方法）
以下、順に、本実施の形態の液晶表示装置における基本的な表示方法について説明する。
【００４４】
（拡大率）
図６は、レンズ７０による表示の拡大の様子を示す図である。
【００４５】
上記図６において、Ｗｉｄｔｈ（ｉｎ）は、表示面４２の法線方向から見た場合のあるライン帯の幅（表示面の長さ）を示している。
【００４６】
また、Ｗｉｄｔｈ（ｊｎ）は、上記Ｗｉｄｔｈ（ｉｎ）がレンズ７０を介して表示される場合のライン帯の幅（表示面の長さ）を示している。
【００４７】
そして、Ｗｉｄｔｈ（ｊｎ）／Ｗｉｄｔｈ（ｉｎ）が当該ライン帯に対する拡大率ｒｎとなる。すなわち、光学部としてのレンズ７０を透過することで映像が拡大する比率が求められる。
【００４８】
そして、上記拡大率ｒｎは、レンズ７０の湾曲の仕方により（曲面形状により）異なる。そのため、先に説明した図１に示すように、上記拡大率ｒｎは、上記平面範囲７０ａと曲面範囲７０ｂとの境界から上記端辺４４に至るまで、ライン毎に相違する。
【００４９】
（拡張幅）
つぎに、上記レンズ７０によるライン帯の拡張幅について説明する。
【００５０】
上記レンズ７０によるライン帯の拡張幅ｌは、Ｗｉｄｔｈ（ｊｎ）−Ｗｉｄｔｈ（ｉｎ）で表される。
【００５１】
そして、曲面範囲７０ｂの全領域における拡張幅ｌは、図６に示す数式のように、上記”Ｗｉｄｔｈ（ｊｎ）−Ｗｉｄｔｈ（ｉｎ）”を上記全領域で加えた値となる。
【００５２】
なお、図６におけるｆ（ｘ）は、レンズ７０の表面形状を示す関数であり、ｆ’（ｘ）は、ｆ（ｘ）の傾きを示している。
【００５３】
また、図６におけるｆ’（ａ）及びｆ’（ｂ）は、それぞれ、位置ａ、ｂにおけるレンズ７０の表面の傾きを示している。
【００５４】
（レンズ形状の変化）
レンズ７０は、上述のとおり、液晶表示パネル４０の表示面４２を覆うように設けられている。
【００５５】
レンズ７０は、液晶表示装置１０の使用環境により、膨張（伸長）し、または収縮することがある。すなわち、レンズ７０は、液晶表示装置１０の使用環境により、その形状が変化する。
【００５６】
図４は、形状が変化したレンズ７１を備える液晶表示装置１０の一部の断面図であり、図２に対応する図である。レンズ７１は、レンズ７０の形状が変化したものであり、形状が変化する前の初期状態のレンズ７０を波線で示す。
【００５７】
図４に示すレンズ７１は、その幅方向の寸法が大きくなることで、形状が変化している。形状が変化する前のレンズ７０の形状と比較すれば明らかなように、曲面範囲７１ｂの形状（曲面形状、Ｒ形状）も変化している。
【００５８】
なお、レンズ７０の曲面形状が変化した場合、これに伴って、拡大率ｒｎおよび拡張幅ｌも変化する。すなわち、図４において、レンズ７０の形状が変化してレンズ７１となった場合、曲面形状も変化するため、図６におけるＷｉｄｔｈ（ｊｎ）が変化し、Ｗｉｄｔｈ（ｋｎ）となる。
【００５９】
そのため、レンズ形状の変化に伴い、拡大率ｒｎは、Ｗｉｄｔｈ（ｊｎ）／Ｗｉｄｔｈ（ｉｎ）からＷｉｄｔｈ（ｋｎ）／Ｗｉｄｔｈ（ｉｎ）へと変化する。
【００６０】
また、レンズ形状の変化に伴い、拡張幅ｌは、Ｗｉｄｔｈ（ｊｎ）−Ｗｉｄｔｈ（ｉｎ）から、Ｗｉｄｔｈ（ｋｎ）−Ｗｉｄｔｈ（ｉｎ）へと変化する。
【００６１】
そのため、レンズの曲面形状が変化すると、曲面形状の変化の前後において同じ映像を表示しようとしても、曲面形状が変化する前と後とで、表示される映像が変化してしまう。言い換えると、曲面形状の変化の前後において同じ映像データがソースドライバに入力されたとしても、曲面形状が変化する前と後とで、表示される映像が変化してしまう。
【００６２】
本実施の形態のレンズ７０は、例えば、ガラス、アクリル、ポリカーボネート等で形成することができる。液晶表示装置１０の使用環境下において、レンズ７０の形状変化の量は、その原材料に応じて異なる。より詳しくは、レンズ７０の形状変化の量は、原材料の熱膨張率（／℃）に基づく。
【００６３】
図５は、一例としての液晶表示装置１０の断面図である。図５に示す液晶表示装置１０の液晶表示パネル４０およびレンズ７０の幅は１００ｍｍであり、レンズ７０の厚みは３ｍｍである。
【００６４】
ここで、ガラスの熱膨張率は０．８×１０−５／℃であり、アクリルの熱膨張率は７×１０−５／℃であり、ポリカーボネートの熱膨張率は７×１０−５／℃である。
【００６５】
そのため、図５に示す液晶表示装置１０において、レンズ７０としてアクリルまたはポリカーボネートを用いた場合、レンズ７０の温度が２０℃上昇すると、レンズ７０は幅方向に約０．１４ｍｍ伸びることとなる。
【００６６】
特に、レンズ７０の端部は、凸レンズ形状を有しており、中央部に比べて薄いため、より伸び易い。例えば、レンズ７０の温度が２０℃上昇することで、実測で約１ｍｍ伸びる場合もある。
【００６７】
（レンズ形状検知部）
本実施の形態のレンズ形状検知部５０について、図４に基づいて説明する。
【００６８】
上述したように、レンズ７０は、液晶表示装置１０の使用環境により、その形状が変化する。本実施の形態のレンズ形状検知部５０は、レンズ７０の形状を検知し、レンズ形状の情報を示すレンズデータを作成する。
【００６９】
本実施の形態のレンズ形状検知部５０は、図示しない取得部を備えている。
【００７０】
取得部は、レンズ７０における測定位置の、基準位置からの変位量であるずれ量を取得する。例えば、測定位置をレンズの端部とし、基準位置を、形状が変化する前の初期状態のレンズ７０の端部７０ｄすることができる。
【００７１】
この場合、測定位置である形状が変化した後のレンズ７１の端部７１ｄは、基準位置としてのレンズ７０の端部７０ｄから、距離はＤだけ変位している。この距離Ｄは、形状変化に伴うずれ量である。
【００７２】
レンズ形状検知部５０は、このずれ量を測定し、レンズデータとして映像データ補間部５１へ出力する。
【００７３】
取得部としては、測距センサーを用いることができる。これにより、自動的に上記ずれ量を測定することができる。また、取得部として、隙間ゲージを用いることができる。この場合、観察者が隙間ゲージを用いて手動でずれ量を測定し、その結果をレンズデータとしてフィードバックしてもよい。
【００７４】
なお、レンズ７０の形状変化に伴って液晶表示パネル４０の表示面４２に表示する映像が変化するが、これは主に、レンズの曲面形状が変化することによる。
【００７５】
そのため、より好ましくは、レンズ７０の曲面形状の変化を検知し、曲面形状（の変化量）をレンズデータとすることが好ましい。
【００７６】
ここで、レンズ７０の形状が変化したとき、曲面形状は、ずれ量と一定の関係を有して変化する。そのため、ずれ量に基づいて、曲面形状の変化を算出することは可能である。
【００７７】
ただし、曲面形状の変化量には、レンズ７０の固定方法等も影響するため、ずれ量と曲面形状との関係は単純ではない。そのため、液晶表示装置１０は、レンズの形状が変化したときのずれ量と、曲面形状の変化との関係を予め対応付けたＬＵＴを備えていてもよい。
【００７８】
（映像用ＲＡＭ）
つぎに、上記映像用ＲＡＭ２４の容量について説明する。この映像用ＲＡＭ２４には、映像データが記憶されるが、その映像データには、元々の映像データである元映像データと、この元映像データに加えて作成される補間映像データとが含まれる。すなわち、上記映像用ＲＡＭ２４は、映像をアップコンバートするための映像データを記憶するためのＲＡＭとして構成されている。
【００７９】
そして、この映像データを記憶するために必要な上記映像用ＲＡＭ２４のおよその容量は、追加される拡張ライン数に基づいて算出することができる。そして、追加される上記拡張ライン数は、以下の式で算出することができる。
【００８０】
追加される拡張ライン数＝拡張幅／画素ピッチ（ラインピッチ）
液晶表示パネル４０に対して、縦ライン方向に曲がっている凸レンズを上記レンズ７０として用いた場合、レンズ７０のレンズ径により、映像がある程度拡張される。そして、その拡張した映像分の幅を拡張幅として算出し、その拡張幅を画素ピッチ長で割ると、追加される拡張ライン数が求められる。なお上記拡張幅を表示面の長さの観点から表現すると、上記曲面範囲７０ｂに面する表示面４２の長さと、上記レンズ７０を介して見える上記曲面範囲７０ｂに面する表示面４２の長さとの差となる。
【００８１】
具体的には、例えば図７に示すように、縦２７２ライン、横４８０ラインの表示領域４６を有する液晶表示パネル４０が、上記凸レンズにより拡張され、拡張された後のライン数が３２０となった場合は、以下のようになる。
【００８２】
この場合３２０ラインと２７２ラインとの差である５２ラインが上記追加される拡張ライン数となる。そして、この追加される拡張ライン数に基づいて、上記映像用ＲＡＭ２４の容量を決定することができる。
【００８３】
詳しくは、８階調のＲ・Ｇ・Ｂ表示の場合、５２（拡張ライン数）×４８０（横ライン数）×８（階調ビット数）×３（Ｒ・Ｇ・Ｂ）で算出されるビット数分の容量を有する映像用ＲＡＭ２４が必要であることがわかる。
【００８４】
（補間映像データ）
つぎに、補間映像データについて説明する。ここで補間映像データとは、上記レンズ７０により拡張された部分を、元映像データとともにうめるために作成される映像データである。
【００８５】
言い換えると、上記補間映像データは、上記レンズ７０の作用で拡張された表示領域に対して、ほぼ同程度のライン帯で映像データを配置するために擬似的に作成されるデータである。この補間映像データと元映像データとを合わせることで、上記レンズ７０により上記拡張幅が生じても、映像データは、上記レンズ７０の曲面範囲７０ｂに対応する部分でも、上記平面範囲７０ａに対応する部分とほぼ同程度の密度で用意されることになる。
【００８６】
以下、図８及び図９に基づいて、補間映像データについて具体的に説明する。図８は、元映像データと補間映像データとを示す図である。図８の左側列には元映像データを示し、右側列には元映像データと補間映像データとを示している。また図９は、補間映像データ作成の概略を示す図である。
【００８７】
以下の説明では、上記レンズ７０の曲面範囲７０ｂの曲面が湾曲する方向において、互いに隣接する画素の元映像データの階調の間に位置する階調を有する映像データとして、補間映像データが作成される場合を例にしている。
【００８８】
ここで、上記曲面範囲７０ｂの曲面が湾曲する方向に隣接する画素とは、上記レンズ７０の上記曲面範囲７０ｂの曲面を側面視したとき、上記曲面の湾曲始端（平面範囲７０ａと曲面範囲７０ｂとの境界）から湾曲終端に向かう方向に沿って隣接する画素との意味である。
【００８９】
そして、上記補間映像データの作成方法には、種々の方法が考えられる。以下に、一次関数による補間映像データの作成方法について説明する。
【００９０】
上記図９は、その横軸が画素の座標を示し、縦軸が映像データの明るさ（階調）を示している。すなわち、座標がｘであり、階調がｙである画素Ａは、（Ａｘ，Ａｙ）と表すことができる。
【００９１】
そして、画素Ａ（Ａｘ，Ａｙ）と画素Ｂ（Ｂｘ，Ｂｙ）との間に、補間数ｘの補間映像データを求める場合の概要が図７に示されている。
【００９２】
すなわち、基準のデータを（Ａｘ，Ａｙ），（Ｂｘ，Ｂｙ）とし、補間数をｘとした場合、補間映像データの階調ｙは以下のように表される。
【００９３】
ｙ＝ａｘ＋Ａｙ  ：ａ＝（Ｂｙ−Ａｙ）／ｘ
そして、ｎ番目の補間映像データの階調は以下のように表される。
【００９４】
ｙｎ＝ａｘｎ＋Ａｙ
以上のように、上記補間映像データは、互いに隣接する画素の間に対応させて、作成される。また、上記補間映像データは、互いに隣接する２つの画素の元映像データの各階調の値うち、より小さい階調の値に、上記各階調の値の差異を上記補間数に１を加えた数で等分して得られる値の整数倍を加えた値の階調を有する映像データとして作成される。
【００９５】
そして、上記補間映像データが一組の隣接する画素間に複数個作成される場合には、作成された補間映像データの階調は、上記隣接する一方の画素の元映像データの階調から、他方の画素の元映像データの階調までの間で、段階的に連続して増加若しくは減少する値となっている。
【００９６】
上記式により求められた補間映像データは、先に説明した映像用ＲＡＭに記憶される。
【００９７】
（補間数の求め方）
ここで上記補間映像データを作成する際の補間数の求め方について説明する。補間数の求め方には種々の方法が考えられる。
【００９８】
（方法１）
まず、第１の方法は、
Ｗｉｄｔｈ（ｊｎ）−Ｗｉｄｔｈ（ｉｎ）≧１になる毎に補間数を追加する方法である。
【００９９】
図１０に基づいて説明する。図１０は、第１の補間数の求め方を説明するための図である。
【０１００】
図１０に示すように、上記第１の方法では、上記Ｗｉｄｔｈ（ｉｎ）を、液晶表示パネル４０の表示面における平面範囲７０ａと曲面範囲７０ｂとの境界に対応する位置から、端辺４４の方向に区分しながら拡大していく場合において、Ｗｉｄｔｈ（ｉｎ）−Ｗｉｄｔｈ（ｊｎ）が１ライン帯の幅、すなわち画素のピッチを超える毎に補間数を１個増やす。
【０１０１】
なお、上記方法では、曲面範囲７０ｂが、補間映像データが作成される範囲である補間映像データ作成範囲８０となっている。
【０１０２】
以上の方法によると、補間映像データが、映像が拡大する比率に応じて作成されるので、上記元映像データと上記補間映像データとを合わせた映像データの、上記光学部を介して見える上記表示部の表示面の長さに対する密度を、上記元映像データの、上記表示部の表示面の長さに対する密度と同程度にすることが容易になる。
【０１０３】
また、以上の方法によると、補間映像データが必要な部分のみに、必要な密度で補間映像データを作成することができる。そのため、作成する補間映像データの数を少なくすることができる。
【０１０４】
また、補間映像データ数を抑制することができるので、上記映像用ＲＡＭ２４の容量を抑制することができる。
【０１０５】
（方法２）
この方法２は、一律に同じ補間数（ステップ数）で補間映像データを作成する方法である。
【０１０６】
上記方法１では、ライン間毎に、作成される補間映像データの数が相違していた。これに対して、方法２では、各ライン間に作成される補間映像データの数は均一である。
【０１０７】
そして、作成される補間映像データの個数（上記均一な数）は、画素からの映像がレンズ７０の曲面範囲７０ｂを透過することで拡大する比率に基づいて定められる。
【０１０８】
また、上記方法１では、表示領域４６のなかで、レンズ７０の曲面範囲７０ｂに対応する部分にのみ補間映像データが作成される場合を例示した。
【０１０９】
これに対して以下の説明では、補間映像データが、表示領域４６の、曲面範囲７０ｂに対応する部分のみならず、上記平面範囲７０ａに対応する部分にも作成される場合を例示する。すなわち、補間映像データが作成される範囲を示す図１１に表すように、レンズ７０の平面範囲７０ａと曲面範囲７０ｂとを含む全範囲７０ｃにおいて、補間映像データが作成されている。すなわち、上記全範囲７０ｃが補間映像データ作成範囲８０となっている。
【０１１０】
図１２に、上記方法２により補間映像データを作成する例を示す。
【０１１１】
この例では、補間映像データは、各ライン間に同じ数だけ、表示領域４６の全範囲にわたって作成されている。具体的には、上記例では、レンズ７０として、最大拡大率が２の整数に近似するレンズを用い、表示領域４６の全範囲において、上記補間数が一律に２になっている。
【０１１２】
すなわち、上記例では、画素からの映像がレンズ７０の曲面範囲７０ｂを透過することで拡大する比率に基づいて定められた、上記補間映像データの個数が２個となっている。
【０１１３】
図１２の左側に示す表示領域４６は、６４０×１５０の画素数を有する表示領域４６を例示している。この場合、元映像データのライン数は１５０である。
【０１１４】
そして、図１２の右側に示す表示領域４６は、元映像データと補間映像データとを合わせた場合の擬似的な表示領域４６を示している。すなわち、各ライン間に２の補間映像データを作成した場合、作成される補間映像データの数は、
（１５０−１）×２＝２９８となる。
【０１１５】
そのため、元映像データと補間映像データとの和は、４４８となる。
【０１１６】
そして、４４８のライン数を有する表示領域４６が図１２の右側に示す表示領域４６である。
【０１１７】
なおこの例では、行方向のライン間に補間映像データが作成される例を示している。上記の例では、列方向のライン間には補間映像データは作成されていない。
【０１１８】
上記の方法によれば、複雑な計算を行うことなく補間映像データを作成することができる。そのため、簡易な演算回路で上記補間映像データを作成することができる。
【０１１９】
（補間映像データ作成範囲）
つぎに、補間映像データを作成する範囲について説明する。この補間映像データを作成する範囲には、種々の範囲が考えられる。
【０１２０】
（曲面範囲のみ）
上記方法１では、表示領域４６における、平面範囲７０ａと曲面範囲７０ｂとの境界から、液晶表示パネル４０の端辺４４の範囲に補間映像データが作成される例を示した。
【０１２１】
この例によると、作成される補間映像データの数を必要限度に抑制することができるので、上記映像用ＲＡＭ２４の容量を抑制することができる。
【０１２２】
（全範囲）
また、上記方法２では、表示領域４６の全範囲において補間映像データが作成される例を示した。
【０１２３】
（一部平面範囲と曲面範囲）
補間映像データを作成する範囲については、上記２つの例の他にも種々考えられる。
【０１２４】
例えば、曲面範囲７０ｂの全範囲と、平面範囲７０ａの一部範囲とに渡る範囲で、上記補間映像データを作成することができる。
【０１２５】
図１３及び図１４に基づいて説明する。図１３及び図１４は、補間映像データを作成する範囲を示す図である。
【０１２６】
図１３に示す例では、曲面範囲７０ｂと、平面範囲７０ａのなかの一範囲であって上記曲面範囲７０ｂから連続する範囲である追加平面範囲７２とにおいて上記補間映像データを作成する。すなわち、上記曲面範囲７０ｂと上記追加平面範囲７２（境界近傍範囲）とを合わせた範囲が補間映像データ作成範囲８０となっている。
【０１２７】
ここで、上記追加平面範囲７２の大きさについては特には限定されない。例えば、上記追加平面範囲７２の大きさを、上記曲面範囲７０ｂの半分程度の大きさとすることができる。
【０１２８】
図１４に基づいて具体的に説明する。図１４は、６４０×４８０の画素数を有する表示領域６４を示している。この場合、曲面範囲７０ｂの範囲にある横方向のライン数が５０ラインであるとき、上記追加平面範囲７２の大きさは、その範囲にある横方向のライン数が２５程度となるような大きさとすることができる。
【０１２９】
なお、上記追加平面範囲７２の大きさは、この大きさに限定されるものではなく、例えば、より多くのラインが含まれるように上記追加平面範囲７２を設定してもよい。
【０１３０】
上記のように、追加平面範囲７２においても補間映像データを作成することで、平面範囲７０ａと曲面範囲７０ｂとの境界近傍における、伸張表示などの表示の乱れを抑制することができる。
【０１３１】
なお、補間映像データ作成範囲８０を上記図１３に示す範囲に設定した場合、補間数の求め方は特には限定されず、例えば、上記方法１及び方法２のいずれの方法も用いることができる。
【０１３２】
（補間後映像データの選択）
つぎに補間後映像データの選択について説明する。ここで補間後映像データの選択とは、先に図８に基づいて説明した元映像データと補間映像データとの中から、ソースドライバ１２に入力され、実際の表示に用いられる映像データである補間後映像データを選択することを意味する。そして、この補間後映像データ（間引き映像データ）の選択により、レンズ７０に起因する伸張表示を抑制することができる。
【０１３３】
補間後映像データは、制御信号作成回路部１６が、映像用ＲＡＭ２４に記憶された映像データから、ソースドライバ１２に供給される映像データを選択（選出）することで行われる。
【０１３４】
本実施の形態の制御信号作成回路部１６は、レンズデータを入力され、レンズデータに基づいて、補間後映像データを選択する。これにより、レンズの形状変化に基づいて補間後映像データを選択することができ、液晶表示装置１０は、レンズの形状変化に対応した表示をすることができる。
【０１３５】
この補間後映像データの選択は、以下の考え方に基づいている。
【０１３６】
すなわち、上記曲面範囲７０ｂにおいて、元映像データと補間映像データと順に並べた全映像データの中から、表示に必要な数の映像データを選択する。ここで、上記表示に必要な数とは、ラインの本数を意味する。
【０１３７】
元映像データと補間映像データと順に並べるとは、上記元映像データを対応する画素の順に並べるとともに、上記補間映像データを、対応する画素の元映像データの間にその階調が連続するように並べることを意味する。
【０１３８】
以下、図１５に基づいて具体的に説明する。図１５は、補間後映像データの選択を説明するための図であり、左側の列が、元映像データと補間映像データとを合わせた映像データ（映像データ群）と示し、右側の列が、選択された補間後映像データを示している。
【０１３９】
この図１５に示す補間映像データは、先に図８に基づいて説明した補間映像データと同様のデータである。すなわち、図１５に示す補間映像データにおける上記補間映像データ作成範囲８０は曲面範囲７０ｂである。そして、平面範囲７０ａと曲面範囲７０ｂとの境界から、上記端辺４４に向かうにしたがって、隣接するライン間に作成される補間映像データの数が多くなるように、上記方法１に基づいて補間映像データが作成されている。
【０１４０】
なお、図１５は、元映像データと補間映像データとを順に並べた場合に、選択された補間後映像データが略等間隔に位置するように、補間後映像データを選択する例を示している。
【０１４１】
そして、本実施の形態では、元映像データと補間映像データとの中から、表示に必要な数の映像データ、すなわち、ラインの数と同数の映像データである補間後映像データが選択される。
【０１４２】
ここで、本実施の形態の液晶表示装置１０は、元映像データと補間映像データとが、それぞれ番号を付されて順に並べられた状態において、レンズ７０の形状の変化に基づいた番号が付された映像データを、補間後映像データとして選択する。
【０１４３】
すなわち、図１５に示すように、端辺４４から平面範囲７０ａと曲面範囲７０ｂとの境界に向かう方向に、元映像データと補間映像データとが並べられてなる映像データに対して、１から始まる自然数をデータ番号として付す。
【０１４４】
そして、選択すべき映像データに付されたデータ番号が、レンズデータに対応して定められており、制御信号作成回路部１６は、レンズデータに基づいて、各レンズデータに対応するデータ番号が付された映像データを選択する。
【０１４５】
例えば、図１５に示すように、所定のレンズデータが入力された制御信号作成回路部１６は、上記レンズデータに対応して定められたデータ番号、１，３，５，・・・（ｎ−６），（ｎ−４），（ｎ−２），ｎ，・・・が付された映像データを選択する。
【０１４６】
以下、具体例を挙げて説明する。
【０１４７】
制御信号作成回路部１６は、複数のデータ番号からなるデータ番号群が、レンズデータとしてのずれ量に対応付けられて格納されたデータ選択ＬＵＴを備えている。
【０１４８】
図１６にデータ選択ＬＵＴの例を示す。
【０１４９】
図１６の例では、ずれ量０ｍｍのレンズデータと、１，３，５，７，・・・のデータ番号群が対応付けられ、ずれ量１ｍｍのレンズデータと、２，４，６，８，・・・のデータ番号群が対応付けられ、ずれ量２ｍｍのレンズデータと、３，５，７，９，・・・のデータ番号群が対応付けられている。
【０１５０】
そのため、図１６のデータ選択ＬＵＴを備える制御信号作成回路部１６は、ずれ量１ｍｍの情報を含んだレンズデータが入力された場合、元映像データと補間映像データとが並べられてなる映像データの中から、データ番号１，３，５，７，・・・が付された映像データを選択する。
【０１５１】
また、制御信号作成回路部１６は、ずれ量０ｍｍの情報を含んだレンズデータが入力された場合、すなわち、レンズ形状が初期状態から変化していない場合、元映像データと補間映像データとが並べられてなる映像データの中から、データ番号２，４，６，８，・・・が付された映像データを選択する。
【０１５２】
すなわち、データ選択ＬＵＴには、元映像データと補間映像データとを合わせた映像データ並びにおける位置が、レンズデータとしてのずれ量に対応付けられて格納されていると言うことができる。
【０１５３】
そのため、制御信号作成回路部１６は、ずれ量に応じて決定された位置の映像データを選択することができる。
【０１５４】
なお、図１６では、データ選択ＬＵＴとして、１ｍｍ刻みのずれ量とデータ番号群とを対応付けたデータ選択ＬＵＴの例を挙げたが、これに限るものではない。例えば、ずれ量をより細かく分け、例えば０．５ｍｍ刻みのずれ量とデータ番号群とを対応付けたＬＵＴを用いてもよい。
【０１５５】
また、図１６のデータ選択ＬＵＴでは、データ番号群に含まれるデータ番号を、各番号が示す数値の大きさの順に並べた場合に、互いに隣接する数値の差が２に固定されているが、これに限ることはない。
【０１５６】
例えば、図１７のデータ選択ＬＵＴを用いることもできる。図１７のデータ選択ＬＵＴでは、データ番号群に含まれるデータ番号を、各番号が示す数値の大きさの順に並べた場合に、互いに隣接する数値の差が固定されていない。
【０１５７】
そのため、図１７のデータ選択ＬＵＴによれば、元映像データと補間映像データとが並べられてなる映像データの中から、ずれ量に応じて間引き間隔を異ならせて、映像データを間引き、補間後映像データを選択することができる。
【０１５８】
通常、レンズの形状変化が起こった場合に、形状変化の前後における、表示される映像の変化は小さいことが好ましい。
【０１５９】
すなわち、レンズの形状変化の前後において同じ階調の元映像データが映像データ補間部５１に入力される場合に、形状変化が起こる前後における、各補間後映像データによって表示される映像の階調の差は小さいことが好ましい。
【０１６０】
そのため、制御信号作成回路部１６は、あるずれ量で表されるレンズの形状変化が起こった場合の曲面形状の変化に対して、形状変化の前後における各補間後映像データによって表示される映像の階調の差が最小となるように、元映像データおよび補間映像データの中から最適な補間後映像データを選択する。
【０１６１】
そのため、データ選択ＬＵＴには、ずれ量と、上記最適な補間後映像データを選択するためのデータ番号群が対応付けられている。
【０１６２】
ここで、レンズの材質の熱膨張率、材質厚みから、実使用環境温度に応じたずれ量は概ね推測することができる。そのため、上記データ選択ＬＵＴは、環境温度を計測できる温度センサーと連動させることで、容易にシステムを構築することができる。
【０１６３】
実例として、画面サイズ対角４インチ、画素数６４０×ＲＧＢ×４８０を有する液晶パネルと熱膨張率７×１０−５／℃、最大厚み３ｍｍのアクリル製レンズを用いた場合、０℃〜６０℃の実使用環境温度範囲内で、１０℃刻み幅毎に、それぞれの環境下でのずれ量を反映させたデータ選択ＬＵＴを適用することで、概ね良好な映像を提供することができる。
【０１６４】
なお、表示装置の画面サイズ、画素数、画素ピッチ、及びレンズの熱膨張率や材質厚み等、様々なファクターが存在するので、実際に用意すべきデータ選択ＬＵＴや温度範囲、また温度刻み幅は、上記の限りではない。
【０１６５】
上記の構成により、レンズ７０の形状変化が起こった場合であっても、ずれ量を測定し、ずれ量に基づいて最適な補間後映像データを選択することで、形状変化に基づく表示画像（映像）の伸縮が抑制される。
【０１６６】
ここで、レンズ７０とそのレンズ幅とについて、その一例を図１８に基づいて説明する。レンズ幅とは、レンズ７０が曲率を有する部分の長さであり、上記曲面範囲７０ｂの長さに相当する。
【０１６７】
図１８は、レンズ７０におけるレンズ径とレンズ幅との関係を示す図である。なお、図１８に示すグラフでは、その横軸は、レンズ７０が曲率を有する部分の長さであるレンズ幅を示し、その縦軸は、レンズ径を示している。
【０１６８】
図１８には、レンズ７０の厚さ（レンズ厚）が６ｍｍで、上記レンズ幅が６．５ｍｍであるレンズ７０を例示している。
【０１６９】
そして、上記レンズ７０において、レンズ径とレンズ幅等との関係は、上記図１８に示す式の関係となる。
【０１７０】
ここで、図１８に例示したレンズ７０を用いた場合、上記図１７において真ん中の列に示したレンズ７０のレンズ幅は６．５ｍｍとなる。そして、図１７における曲面範囲７０ｂは６．５ｍｍとなり、図１７に示す例では、曲面範囲７０ｂが補間映像データ作成範囲８０であるので、この補間映像データ作成範囲８０も６．５ｍｍとなる。
【０１７１】
なお、補間後映像データの選択に関する上記の説明では、補間映像データが上記曲面範囲７０ｂにのみ作成されている場合を前提として、上記曲面範囲７０ｂにおける補間後映像データの選択について説明した。
【０１７２】
ここで、上記補間数の求め方の方法２において説明した、補間映像データが、表示領域４６の曲面範囲７０ｂに対応する部分のみならず、上記平面範囲７０ａに対応する部分にも作成される場合では、上記補間後映像データの選択は、上記平面範囲７０ａでは行わず、上記曲面範囲７０ｂにおいてのみ行うようにすることができる。すなわち、上記平面範囲７０ａでは、補間映像データは作成されるものの、元映像データのみをそのまま表示に用いることができる。
【０１７３】
上記により、簡易に補間映像データの算出ができるとともに、平面範囲７０ａ及び曲面範囲７０ｂにおいて、良好な表示を実現することができる。
【０１７４】
〔実施形態２〕
本発明の他の実施形態について、図１９に基づいて説明すれば、以下のとおりである。なお、説明の便宜上、上記実施形態にて説明した図面と同じ機能を有する部材については、同じ符号を付記し、その説明を省略する。
【０１７５】
図１９は、本実施の形態の液晶表示装置１０の概略構成を示す図である。
【０１７６】
図１９に示すように、本実施の形態の液晶表示装置１００は、映像データ補間部１５１を備えており、映像データ補間部１５１は、補間映像データ作成部１２０を備えている。
【０１７７】
本実施の形態の液晶表示装置１００では、レンズ形状検知部５０が作成したレンズデータは、補間映像データ作成部１２０へ入力される。
【０１７８】
（補間映像データの作成方法）
本実施の形態の液晶表示装置１００は、実施の形態１の液晶表示装置１０と比べ、主に補間映像データの作成方法が異なる。
【０１７９】
すなわち、実施の形態１の液晶表示装置１０においては、補間映像データ作成部２０は、座標がｘであり、階調がｙである画素Ａを、（Ａｘ，Ａｙ）と表した場合に、レンズデータに拘らず、画素Ａ（Ａｘ，Ａｙ）と画素Ｂ（Ｂｘ，Ｂｙ）との間のｎ番目の補間映像データの階調ｙｎが、
ｙｎ＝ａｘｎ＋Ａｙ  ：ａ＝（Ｂｙ−Ａｙ）／ｘ
となるように、補間映像データを作成した。
【０１８０】
これに対し、本実施の形態の液晶表示装置１００においては、補間映像データ作成部１２０が、レンズデータに基づいて補間映像データを作成する。
【０１８１】
より詳細には、レンズ７０の形状変化が起こった場合に、レンズデータとしてのずれ量に基づいて、形状変化後のレンズ７０の曲面形状を割り出し、得られた曲面形状に基づいて、拡張幅ｌを算出し、補間数（補間映像データの数）を決定する。
【０１８２】
そして、元映像データの階調と補間数に基づき、補間映像データの階調を決定する。
【０１８３】
なお、本実施の形態においては、液晶表示装置１００は、補間映像データの階調および補間数が、ずれ量と対応付けられて格納されたデータ作成ＬＵＴを備えていてもよい。
【０１８４】
これにより、互いに隣接する画素の各元映像データの階調と、ずれ量とに応じて決定された階調の補間映像データを作成することができる。
【０１８５】
また、画素の配置に対応して元映像データを並べた場合に、互いに隣接する元映像データの間に、ずれ量に応じて決定された個数の補間映像データを並べることができる。
【０１８６】
これにより、複雑な計算をすることなく、補間映像データを作成することができる。
【０１８７】
本実施の形態の液晶表示装置１００によれば、レンズ７０の形状変化が起こった場合に、形状変化後の実際のレンズの曲面形状に基づいて、補間後映像データを得ることができる。
【０１８８】
これにより、レンズ７０の形状変化が起こった場合であっても、形状変化の際のずれ量を測定し、ずれ量に基づいて補間映像データを作成し、補間後映像データを選択することで、形状変化に基づく映像の伸張表示が抑制される。
【０１８９】
なお、補間後映像データの選択は、実施の形態１で説明した方法を採用することができる。また、簡易的には、図１５に示すように、元映像データと補間映像データとを順に並べた場合に、選択された補間後映像データが略等間隔に位置するように、補間後映像データを選択してもよい。
【０１９０】
また、上記の例では、一次関数を用いて補間映像データの階調を決定しているが、これに限ることはない。多項式関数を用いて補間映像データの階調を決定することもできるし、ずれ量に応じて複数種類の多項式関数を使い分けることもできる。
【０１９１】
また、ずれ量に基づいて、補間映像データ作成範囲を変更する構成としてもよいし、補間映像データ作成範囲をずれ量に対応付けて格納したＬＵＴを用いてもよい。
【０１９２】
また、本実施の形態の液晶表示装置１００を、以下のように表すこともできる。すなわち、映像データ補間部１５１は、互いに隣接する画素の各元映像データの階調と、ずれ量とに応じて決定された階調の補間映像データを作成する補間映像データ作成部１２０を備えている。
【０１９３】
また、映像データ補間部１５１は、互いに隣接する画素の上記各元映像データに対して、上記ずれ量に応じて決定された個数の補間映像データを作成する補間映像データ作成部１２０を備えている。
【０１９４】
（変形例）
上述した実施形態１および実施形態２の変形例について、図２０〜２２に基づいて説明する。なお、説明の便宜上、上記実施形態にて説明した図面と同じ機能を有する部材については、同じ符号を付記し、その説明を省略する。
【０１９５】
図２０は、実施形態１の変形例の液晶表示装置１０’の斜視図である。
【０１９６】
変形例の液晶表示装置１０’には、観察者が操作可能な手動調整部９０が設けられている。観察者が手動で当該手動調整部９０を調節することによって、観察者の操作に従って補間後映像データを再選択する。上記手動調整部９０として手動ボリュームを用いることができる。
【０１９７】
図２１は、実施形態１の変形例の液晶表示装置１０’の概略構成を示す図である。
【０１９８】
液晶表示装置１０’において、手動調整部９０は、観察者の操作を受けて、観察者の操作に対応した操作信号を作成し、制御信号作成回路部１６へ入力する。
【０１９９】
操作信号を受けた制御信号作成回路部１６は、上記操作信号に応じて、補間後映像データを再選択する。
【０２００】
図２２は、実施形態２の変形例の液晶表示装置１００’の概略構成を示す図である。
【０２０１】
液晶表示装置１００’において、手動調整部９０は、観察者の操作を受けて、観察者の操作に対応した操作信号を作成し、補間映像データ作成部１２０へ入力する。
【０２０２】
操作信号を受けた補間映像データ作成部１２０は、上記操作信号に応じて、補間映像データを再度作成する。
【０２０３】
変形例の液晶表示装置１０’・１００’において、映像データ補間部５１・１５１は、手動調整部９０に対する観察者の操作に従って、補間後映像データを再度作成するものであるということができる。
【０２０４】
これにより、手動調整部９０における微調整に応じて補間後映像データを再度作成することで、最適な表示を得ることができる。
【０２０５】
上記の液晶表示装置１０’・１００’において、観察者が実際に観察している映像に基づいて映像を調整することができるので、さらに確実に、最適な表示に調整することができる。
【０２０６】
〔まとめ〕
本発明の一態様に係る液晶表示装置１０・１００は、液晶表示パネル４０と、上記液晶表示パネル４０の表示面４２を覆うレンズ７０・７１とを備えており、上記液晶表示パネル４０は、マトリクス状に配置された画素を備えており、上記レンズ７０・７１は、その表面が凸状の曲面である曲面範囲７０ｂを有しており、上記各画素に対応する映像データに基づいて画像を表示する液晶表示装置１０・１００であって、映像データである元映像データが入力され、互いに隣接する画素の各元映像データの階調の間の階調を有する映像データである補間映像データを作成し、上記元映像データを対応する画素の順に並べるとともに、上記補間映像データを、対応する画素の元映像データの間にその階調が連続するように並べた場合において、上記元映像データと上記補間映像データとを合わせた映像データの中から選択される、上記画素の数だけの映像データである補間後映像データを作成する映像データ補間部５１・１５１と、上記レンズ７０・７１の形状の変化に伴って、上記レンズ７０上の端部７１ｄが、形状が変化する前の端部７０ｄから変位したずれ量を取得する取得部５０を備えており、上記映像データ補間部５１・１５１は、上記ずれ量に基づいて、上記補間後映像データを作成する構成である。
【０２０７】
上記の構成によれば、映像データ補間部５１・１５１は、レンズの形状の変化に伴って、レンズ７０の端部７１ｄが、形状が変化する前の端部７０ｄから変位したずれ量（すなわち、レンズの形状変化量）に基づいて、補間後映像データを作成する。
【０２０８】
そのため、映像データ補間部５１・１５１は、レンズ７０・７１の形状に応じた補間後映像データを作成することができるので、表示面にレンズを備える液晶表示装置１０・１００において、レンズの形状変化に伴って生じる表示画像の伸縮を抑制することができるという効果を奏する。
【０２０９】
さらに、本発明の一態様に係る液晶表示装置１０・１００は、上記映像データ補間部５１・１５１は、上記元映像データと上記補間映像データとを合わせた上記映像データから、上記ずれ量に応じて決定された当該映像データの並びにおける位置の上記映像データを、上記補間後映像データとして選択する制御信号作成回路部１６・１１６を備えていてもよい。
【０２１０】
上記の構成によれば、制御信号作成回路部１６・１１６は、上記ずれ量に応じて決定された映像データの並びにおける位置の映像データを、補間後映像データとして選択する。
【０２１１】
そのため、表示面にレンズを備える液晶表示装置１０・１００において、レンズの形状変化に応じて補間後映像データを選択することができるので、レンズの形状変化に伴って生じる表示画像の伸縮を抑制することができるという効果を奏する。
【０２１２】
さらに、本発明の一態様に係る液晶表示装置１０・１００は、上記映像データ補間部５１・１５１は、上記ずれ量に応じて決定された階調の上記補間映像データを、互いに隣接する各画素の間に対応させて作成する補間映像データ作成部２０・１２０を備えていてもよい。
【０２１３】
上記の構成によれば、補間映像データ作成部２０・１２０は、上記ずれ量に応じて決定された階調の補間映像データを作成する。
【０２１４】
そのため、表示面にレンズを備える液晶表示装置１０・１００において、レンズの形状変化に応じた階調の補間映像データを作成することができるので、レンズの形状変化に伴って生じる表示画像の伸縮を抑制することができるという効果を奏する。
【０２１５】
さらに、本発明の一態様に係る液晶表示装置１０・１００は、上記映像データ補間部５１・１５１は、上記ずれ量に応じて決定された個数の上記補間映像データを、互いに隣接する各画素の間に対応させて作成する補間映像データ作成部２０・１２０を備えていてもよい。
【０２１６】
上記の構成によれば、補間映像データ作成部２０・１２０は、上記ずれ量に応じて決定された個数の補間映像データを作成する。
【０２１７】
そのため、表示面にレンズを備える液晶表示装置１０・１００において、レンズの形状変化に応じた個数の補間映像データを作成することができ、レンズの形状変化に伴って生じる表示画像の伸縮を抑制することができるという効果を奏する。
【０２１８】
さらに、本発明の一態様に係る液晶表示装置１０・１００は、観察者が操作可能な手動調整部を備えており、上記映像データ補間部５１・１５１は、上記手動調整部に対する観察者の操作に従って、上記補間後映像データを作成してもよい。
【０２１９】
上記の構成によれば、観察者が実際に観察している映像に基づいて映像を調整することができるので、観察者が所望する画質を有する映像に調整することができる。
【０２２０】
さらに、本発明の一態様に係る液晶表示装置１０・１００の表示方法は、液晶表示パネル４０と、上記液晶表示パネル４０の表示面４２を覆うレンズ７０・７１とを備えており、上記液晶表示パネル４０は、マトリクス状に配置された画素を備えており、上記レンズ７０・７１は、その表面が凸状の曲面である曲面範囲７０ｂを有しており、上記各画素に対応する映像データに基づいて画像を表示する液晶表示装置１０・１００の表示方法であって、上記各画素に本来対応する映像データを元映像データとすると、互いに隣接する画素の各元映像データの階調の間の階調を有する映像データである補間映像データを作成し、上記元映像データを対応する画素の順に並べるとともに、上記補間映像データを、対応する画素の元映像データの間にその階調が連続するように並べた場合において、上記元映像データと上記補間映像データとを合わせた映像データの中から選択される、上記画素の数だけの映像データである補間後映像データを作成するステップと、上記レンズ７０の形状の変化に伴って、上記レンズ７０上の端部７１ｄの、形状が変化する前の端部７０ｄから変位したずれ量を取得するステップとを含み、上記ずれ量に基づいて、上記補間後映像データを作成する方法である。
【０２２１】
上記の構成によれば、レンズの形状変化量に基づいて補間後映像データを作成する。
【０２２２】
そのため、表示面にレンズを備える液晶表示装置１０・１００において、レンズの形状変化に伴って生じる表示画像の伸縮を抑制することができるという効果を奏する。
【０２２３】
以上の説明では、表示部として、液晶表示パネルを例に挙げて説明したが、これに限られない。液晶表示パネル以外の表示パネルまたは表示モジュールであっても、本発明の表示部として用いることができる。
【０２２４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２２５】
本発明は、簡易な構成で伸張表示の抑制が可能であるので、表示面にレンズを備えた表示部を有するゲーム端末等の携帯端末やテレビ等に好適に利用することができる。
【符号の説明】
【０２２６】
１０、１００      液晶表示装置（表示装置）
１６、１１６      制御信号作成回路部（データ選択部）
２０、１２０      補間映像データ作成部
４０              液晶表示パネル（表示部）
４６              表示領域
４８              非表示領域
５０              レンズ形状検知部
５１、１５１      映像データ補間部
６４              表示領域
７０、７１        レンズ
７０ｄ、７１ｄ    端部（測定位置）
９０              手動調整部
【図１】
2015228536.tif 000003
【図２】
2015228536.tif 000004
【図３】
2015228536.tif 000005
【図４】
2015228536.tif 000006
【図５】
2015228536.tif 000007
【図６】
2015228536.tif 000008
【図７】
2015228536.tif 000009
【図８】
2015228536.tif 000010
【図９】
2015228536.tif 000011
【図１０】
2015228536.tif 000012
【図１１】
2015228536.tif 000013
【図１２】
2015228536.tif 000014
【図１３】
2015228536.tif 000015
【図１４】
2015228536.tif 000016
【図１５】
2015228536.tif 000017
【図１６】
2015228536.tif 000018
【図１７】
2015228536.tif 000019
【図１８】
2015228536.tif 000020
【図１９】
2015228536.tif 000021
【図２０】
2015228536.tif 000022
【図２１】
2015228536.tif 000023
【図２２】
2015228536.tif 000024
【図２３】
2015228536.tif 000025